(57)【特許請求の範囲】
【請求項１】
遊技場で用いられる遊技機に付随して用いられる遊技媒体収容箱であって、
箱部本体と、演出手段とを備えており、
箱部本体は、底部と、当該底部の周囲に立設された側壁部とを備え、
側壁部には内部空間が形成されており、
前記内部空間は、上方が開放され、前記側壁部の長手方向に沿って延びており、その底部分が前記側壁部の上端よりとなる部分に位置するものであり、
演出手段は、複数の骨格部と、複数の骨格部に跨って取付けられた演出表示部から形成され、前記内部空間に収納された収納姿勢と、内部空間から上方に突出する演出姿勢とを切り替え可能であり、骨格部が円弧状に拡がることによって収納姿勢から演出姿勢へと切り替わるものであって、演出姿勢時において、最も下端に位置する２つの前記骨格部のうちの一方が前記内部空間の長手方向における一端側に位置し、他方が前記内部空間の長手方向における他端側に位置することを特徴とする遊技媒体収容箱。
【請求項２】
遊技場で用いられる遊技機に付随して用いられる遊技媒体収容箱であって、
箱部本体と、演出手段とを備えており、
箱部本体は、底部と、当該底部の周囲に立設された側壁部とを備え、
側壁部には内部空間が形成されており、
前記内部空間は、上方が開放され、前記側壁部の長手方向に沿って延びており、
演出手段は、２つの棒体と、帯状の演出表示部から形成され、折り目をつけて折りたたまれた前記演出表示部が２つの前記棒体の間に位置しており、前記内部空間に収納された収納姿勢と、内部空間から上方に突出する演出姿勢とを切り替え可能であり、２つの前記棒体を重ねて置いた状態と並べて置いた状態とを切替えることによって収納姿勢から演出姿勢へと切り替わるものであって、
演出姿勢時では、２つの前記棒体が前記内部空間の長手方向に沿うように並列配置されることを特徴とする遊技媒体収容箱。
【請求項３】
遊技場で用いられる遊技機に付随して用いられる遊技媒体収容箱であって、
箱部本体と、演出手段とを備えており、
箱部本体は、底部と、当該底部の周囲に立設された側壁部とを備え、
側壁部には内部空間が形成されており、
演出手段は、扇状に開いた演出部材を有しており、前記内部空間に収納された収納姿勢と、内部空間から上方に突出する演出姿勢とを演出部材が開いた状態のまま回動軸を中心に回転することで切り替え可能であり、収納姿勢と演出姿勢のそれぞれにおいて前記演出部材が扇状に開いた状態を維持することを特徴とする遊技媒体収容箱。
【発明の詳細な説明】
【技術分野】
【０００１】
本発明は、遊技機で使用する遊技媒体を収容する遊技媒体収容箱に関する。
【背景技術】
【０００２】
従来より、遊技機（パチンコ機やスロット機等）が設置された遊技場では、遊技媒体（玉やメダル等）を貯留する遊技媒体収容箱（玉箱やドル箱）が置かれている。即ち、遊技媒体収容箱は、大当たり等によって獲得した遊技媒体を、遊技者が一時的に保管しておける箱である。
一般的に、この種の遊技媒体収容箱（以下、特にパチンコ機用の箱を玉箱という）は、底部と底部の周囲に立設された側壁部によって形成される貯留部を有しており、当該貯留部に遊技媒体を貯留可能な構成となっている。
（例えば、特許文献１）。
【先行技術文献】
【特許文献】
【０００３】
【特許文献１】特開２００８−１０４６９８号公報
【発明の概要】
【発明が解決しようとする課題】
【０００４】
ところで、多くの遊技場は、壁面をガラス張りにする等によって外部から内部の遊技状況を視認可能となっている。そして、遊技場の近くを通りかかった人や、遊技場内の通路や休憩所等にいる遊技中でない人の遊技意欲を高めるべく、実際に遊技媒体が貯留された箱（以下貯留済玉箱とも称す）を遊技場内の通路等に平面的に広げて配置すると共に、高さ方向に積み上げることによる出玉演出が広く行われている。
【０００５】
そして、このような出玉演出において、さらに人目を引くために、出玉演出プレートが積み上げられた貯留済玉箱に差し込まれることがある。
ここで、出玉演出プレートとは、例えば「出玉爆発」といった遊技機で大当たりが発生していることを強く示唆する文言や、そのような文言に装飾を施した絵柄、人目を引くような模様や絵等が描かれたプレートである。即ち、大当たり等が発生し、多量に出玉が獲得されている印象をより強く視覚に訴える効果を備えたプレートである。
【０００６】
しかしながら、このような出玉演出プレートを差し込む出玉演出は、より多量に出玉が獲得されていることを視覚に訴える効果を奏することが可能である反面、遊技場従業員の手間が増加してしまうという問題があった。
【０００７】
具体的に説明すると、このような出玉演出プレートを差し込む出玉演出は、遊技場従業員が出玉演出プレートを貯留済玉箱に直接手で差し込むことによって実施されている。したがって、遊技場従業員は、出玉演出プレートを持ち歩いたり、所定の設置場所に取りに行く必要が生じるため、煩わしいという問題である。
【０００８】
さらに、出玉演出プレートを所定の設置場所に取りに行き、貯留済玉箱に差し込むまでの間、遊技場従業員はこの作業に拘束されてしまうため、他の作業ができない。このことにより、遊技場従業員が顧客対応するための時間が減少してしまい、顧客サービスの低下を招くという問題が発生するおそれもあった。
【０００９】
そこで、本発明は、上記した従来技術の問題に鑑み、遊技場従業員の負担を増加することなく、多量に出玉が獲得されていることを視覚に訴える出玉演出が可能な遊技媒体収容箱を提供することを課題とする。
【課題を解決するための手段】
【００１０】
上記課題を解決するための請求項１に記載の発明は、遊技場で用いられる遊技機に付随して用いられる遊技媒体収容箱であって、箱部本体と、演出手段とを備えており、箱部本体は、底部と、当該底部の周囲に立設された側壁部とを備え、側壁部には内部空間が形成されており、前記内部空間は、上方が開放され、前記側壁部の長手方向に沿って延びており、その底部分が前記側壁部の上端よりとなる部分に位置するものであり、演出手段は、複数の骨格部と、複数の骨格部に跨って取付けられた演出表示部から形成され、前記内部空間に収納された収納姿勢と、内部空間から上方に突出する演出姿勢とを切り替え可能であり、骨格部が円弧状に拡がることによって収納姿勢から演出姿勢へと切り替わるものであって、演出姿勢時において、最も下端に位置する２つの前記骨格部のうちの一方が前記内部空間の長手方向における一端側に位置し、他方が前記内部空間の長手方向における他端側に位置することを特徴とする遊技媒体収容箱である。
【００１１】
本発明の遊技媒体収容箱は、箱部本体と演出手段とが一体となった構成となっている。そのため、遊技場従業員は、出玉演出プレート等の演出用の器具を持ち運んだり、所定の設置場所に取りに行くことなく、多量に出玉が獲得されていることを視覚に訴える出玉演出を実施することができる。即ち、出玉演出を容易に実施することができる。
さらに、演出手段が前記内部空間に収納された収納姿勢と、内部空間から上方に突出する演出姿勢とを切り替え可能となっている。このことにより、演出姿勢においては、遊技媒体を貯留すると共に上記出玉演出を実施可能となっている。また収納姿勢においては、演出手段が遊技媒体の貯留動作及び遊技媒体の運搬作業を阻害しない。即ち、演出手段が邪魔になることなく、従来の遊技媒体収容箱と同様に使用することができる。
【００１２】
本発明の遊技媒体収容箱は、前記演出手段は、複数の骨格部と、複数の骨格部に跨って取付けられた演出表示部から形成されており、骨格部が円弧状に拡がることによって収納姿勢から演出姿勢へと切り替わる。
【００１３】
請求項２に記載の発明は、遊技場で用いられる遊技機に付随して用いられる遊技媒体収容箱であって、箱部本体と、演出手段とを備えており、箱部本体は、底部と、当該底部の周囲に立設された側壁部とを備え、側壁部には内部空間が形成されており、前記内部空間は、上方が開放され、前記側壁部の長手方向に沿って延びており、演出手段は、２つの棒体と、帯状の演出表示部から形成され、折り目をつけて折りたたまれた前記演出表示部が２つの前記棒体の間に位置しており、前記内部空間に収納された収納姿勢と、内部空間から上方に突出する演出姿勢とを切り替え可能であり、２つの前記棒体を重ねて置いた状態と並べて置いた状態とを切替えることによって収納姿勢から演出姿勢へと切り替わるものであって、演出姿勢時では、２つの前記棒体が前記内部空間の長手方向に沿うように並列配置されることを特徴とする遊技媒体収容箱である。
また請求項３に記載の発明は、遊技場で用いられる遊技機に付随して用いられる遊技媒体収容箱であって、箱部本体と、演出手段とを備えており、箱部本体は、底部と、当該底部の周囲に立設された側壁部とを備え、側壁部には内部空間が形成されており、演出手段は、扇状に開いた演出部材を有しており、前記内部空間に収納された収納姿勢と、内部空間から上方に突出する演出姿勢とを演出部材が開いた状態のまま回動軸を中心に回転することで切り替え可能であり、収納姿勢と演出姿勢のそれぞれにおいて前記演出部材が扇状に開いた状態を維持することを特徴とする遊技媒体収容箱である。
本発明の参考例としての遊技媒体収容箱は、遊技場で用いられる遊技機に付随して用いられる遊技媒体収容箱であって、箱部本体と、演出手段とを備えており、箱部本体は、底部と、当該底部の周囲に立設された側壁部とを備え、側壁部には内部空間が形成されており、演出手段は前記内部空間に収納された収納姿勢と、内部空間から上方に突出する演出姿勢とを切り替え可能である遊技媒体収容箱において、前記演出手段は、支持部と、演出表示部から形成されており、支持部は、演出表示部を掛止する掛止部を有し、前記内部空間に収納された支持部収納姿勢と、側壁部の内部空間から上方に突出する支持部突出姿勢とを切り替え可能なものであり、演出表示部は支持部による掛止位置を可変させることで、支持部に対して相対的に上下方向に移動するものであり、支持部が支持部突出姿勢となり、演出表示部が支持部の上方で掛止されることで、演出表示部が演出姿勢となる。
【発明の効果】
【００１４】
本発明によると、遊技場従業員の負担を増加することなく、多量に出玉が獲得されていることを視覚に訴える出玉演出が可能な遊技媒体収容箱を提供できる。
【図面の簡単な説明】
【００１５】
【図１】本発明の第１実施形態に係る遊技媒体収容箱を示す斜視図である。
【図２】図１の遊技媒体収容箱のＡ―Ａ断面図であって、（ａ）は演出部材が演出姿勢となっている状態を示し、（ｂ）は演出部材が収納姿勢となっている状態を示す。
【図３】図１の遊技媒体収容箱による出玉演出の一例を示す斜視図である。
【図４】本発明の参考例に係る遊技媒体収容箱を示す斜視図である。
【図５】図４の演出部材を示す斜視図である。
【図６】図４の遊技媒体収容箱のＡ−Ａ断面図である。
【図７】図４の遊技媒体収容箱の収納姿勢時の状態を示す断面図である。
【図８】本発明の第２実施形態に係る遊技媒体収容箱を示す断面図であって、（ａ）は演出部材が演出姿勢となっている状態を示し、（ｂ）は演出部材が収納姿勢となっている状態を示す。
【図９】本発明の第３実施形態に係る遊技媒体収容箱を示す断面図であって、（ａ）は演出部材が演出姿勢となっている状態を示し、（ｂ）は演出部材が収納姿勢となっている状態を示す。
【図１０】図４とは異なる参考例に係る演出部材を示す斜視図である。
【図１１】図４、図１０とは異なる参考例に係る演出部材を示す斜視図である。
【発明を実施するための形態】
【００１６】
以下、本発明の第１実施形態乃至第３実施形態について詳細に説明するが、本発明はこれらの例に限定されるものではない。また、以下の説明において、特に記載のない場合、上下方向は遊技媒体収容箱の通常設置時の上下方向とする。
【００１７】
本発明の第１の実施形態の遊技媒体収容箱１は、図１で示されるように、箱部本体２と、演出部材３（演出手段）を備えている。
【００１８】
箱部本体２は、図１で示されるように、長方形平板状の底部４と、底部４の周端近傍に立設されてそれぞれ環状に連続する４つの側壁部５（５ａ，５ｂ，５ｃ，５ｄ）とを備えている。そして、底部４と４つの側壁部５によって囲まれた部分に貯留空間６が形成されている。貯留空間６は、略直方体状の上部が開放された空間であって、遊技媒体（玉やメダル等）を貯留可能となっている。即ち、遊技媒体収容箱１は、貯留空間６の上部から遊技媒体を導入、導出が可能となっており、貯留空間６内に遊技媒体を収容することができる。
【００１９】
４つの側壁部５は、遊技媒体収容箱１の長手方向で対向する２つの側壁部５ａ，５ｃと、遊技媒体収容箱１の短手方向で対向する２つの側壁部５ｂ，５ｄとから成る。そして、４つの側壁部５の上端部分には、上下方向に略直交する方向であって、外方側へ突出する張り出し部７が設けられている。
【００２０】
張り出し部７は、貯留空間６の上部開口部分を囲むように環状に連続している略板状の部分である。そして、張り出し部７の一部には、把持部８が形成されている。
【００２１】
把持部８は、遊技媒体収容箱１の長手方向両端部近傍にそれぞれ形成される、下方に凸となった突起状の部分である。そして、本実施形態の把持部８は、突起状の部分と側壁部５ａ，５ｃとの間にそれぞれ隙間が形成されている。このことにより、この隙間に指先を挿入し、把持部８を握ることにより、人が遊技媒体収容箱１を把持できるようになっている。
【００２２】
ここで、遊技媒体収容箱１の短手方向で対向する２つの側壁部５ｂ，５ｄの内の１つの側壁部５ｂには、その内側に内部空間９が形成されている。より具体的には、図１，２で示されるように、側壁部５ｂの内側部分であって、上端側近傍に内部空間９が設けられている。
【００２３】
内部空間９は、上方が開放された略直方体状の空間となっている。即ち、側壁部５ｂの天面に形成された開口９ａで内外が連続している。
【００２４】
ここで、内部空間９は、図２で示されるように、演出部材３が取り付けられている。
【００２５】
演出部材３は、図２（ａ）で示されるように、略扇状の部材であり、複数の骨格部１３と、演出表示部１４と、回動軸１５から形成されている。
【００２６】
骨格部１３は、木材等の自然材料、又はポリプロピレン、ポリ塩化ビニル、ポリカーボネート等の樹脂材料によって形成される細長い板状の部材となっている。
【００２７】
演出表示部１４は、複数の骨格部１３に跨って取付けられた２つの扇面形成部１４ａと、扇面形成部１４ａの一部に形成される絵柄部１４ｂによって成る。
【００２８】
扇面形成部１４ａは、紙、布、合成繊維等の適宜の材料によって形成された、山なりに屈曲した帯状の部分となっている。即ち、枚葉紙状の部材を略扇型に型抜きして形成される部分である。
【００２９】
絵柄部１４ｂは、扇面形成部１４ａにシール等の部材を張り付ける、扇面形成部１４ａに図案を直接プリントする、扇面形成部１４ａに図案を直接描き込む等の適宜の表示手段によって形成される部分である。そして、絵柄部１４ｂの表示手段は、「出玉爆発」、「大当たり継続中」といった遊技機で大当たりが発生していることを強く示唆する文言や、そのような文言に装飾を施した絵柄、人目を引くような模様や絵等のような、多量に出玉が獲得されていることを視覚に訴えるものを表示している。
【００３０】
回動軸１５は、箱部本体２の内部空間９に形成された軸孔（図示せず）に回動可能に支持された、略円柱状の部材である。
【００３１】
ここで、演出部材３の組み立て構成について説明する。
【００３２】
演出部材３の各骨格部１３は、長手方向の片側端部を回動軸１５によって貫通された状態となっている。即ち、各骨格部１３は、回動軸１５を介して箱部本体２の内部空間９に取付けられ、回動軸１５を中心として回動可能に取付けられている。
【００３３】
そして、２つの扇面形成部１４ａによって各骨格部１３が挟み込まれている。即ち、各骨格部１３を内部に挟み込むように演出表示部１４の２つの扇面形成部１４ａが張り合わされている。
【００３４】
さらに、２つの扇面形成部１４ａが張り合わされた状態で、適宜の部分に折り目が形成されている。即ち、扇面形成部１４ａの円周方向の片側端部側から他方端部側へ向かって山折りと谷折りが交互に連続する蛇腹構造となっている。
【００３５】
また、２つの扇面形成部１４ａの内の１つ又は両方に絵柄部１４ｂを形成する。即ち、演出部材３の外側面及び内側面の片面又は両面に絵柄部１４ｂを形成する。  
以上で、演出部材３の組み立て構成について説明を終了する。
【００３６】
続いて、第１実施形態に係る遊技媒体収容箱１の演出姿勢、収納姿勢、及び演出姿勢から収納姿勢へ切り替わるときの動作について、図２を参照しつつ詳細に説明する。
【００３７】
遊技媒体収容箱１の演出姿勢では、図２（ａ）に示されるように、扇状の演出部材３が開いた状態となっている。即ち、演出部材３の各骨格部１３が円弧状に拡がった状態となっている。換言すると、複数の骨格部１３が回動軸１５に軸支された部分を中心として、上方外側へ放射状にそれぞれ延びている。このことにより、演出表示部１４がアーチ状に展開する。このとき、演出部材３の下端部分並びに各骨格部１３の一部は、内部空間９内に位置している。そして、演出部材３の大部分は、内部空間９の上端に位置する開口９ａより上側に位置している。また、絵柄部１４ｂが外部から直接視認可能な領域に位置している。
【００３８】
このような演出姿勢において、演出部材３の複数の骨格部１３の内で下端であって、内部空間９の長手方向両端（図２の左右方向両端であって、遊技媒体収容箱１の長手方向両端）側にそれぞれ位置する骨格部１３ａ，１３ｂの内、いずれか一方を他方側へ移動させることにより、演出部材３を折り畳んだ状態とすることができる（図２（ｂ）参照）。このことにより、遊技媒体収容箱１は収納姿勢へ移行する。つまり、扇状の演出部材３を閉じていくことにより、扇面形成部１４ａが形成された折り目によって折重ねられていき、収納姿勢へと移行する。
【００３９】
遊技媒体収容箱１の収納姿勢では、図２（ｂ）に示されるように、扇状の演出部材３が閉じた状態となっている。このとき、複数の骨格部１３が重なり合った状態（図２の奥行き方向であり、遊技媒体収容箱１の短手方向で重なった状態）となっており、また、演出部材３の全ての骨格部１３は、内部空間９の開口９ａより下方に位置している。即ち、演出部材３の全ての部分が内部空間９の内部に収容されており、換言すると、絵柄部１４ｂを含む演出部材３の全てが外部から直接視認不可能な領域に位置している。
【００４０】
このような第１実施形態に係る遊技媒体収容箱１によると、例えば、図３で示すように、複数の遊技媒体収容箱１を外形が略四角錐状になるように積み重ね、積み重ねた遊技媒体収容箱１の内の全て又は一部を演出姿勢とすることにより、出玉演出を実施できる。このような出玉演出によると、多量の遊技媒体が獲得されている（多量の出玉がある）ことを傍観者に視覚的に把握させることができる。
【００４１】
上記した実施形態では、扇状の演出部材３が演出姿勢をとるとき、内部空間９の長手方向両端に位置する骨格部１３ａ，１３ｂが略１８０°（度）開いている例を示したが、本発明の遊技媒体収容箱で採用される演出部材は、これに限るものではない。例えば、１８０°（度）以上であってもよく、１８０°（度）以下であってもよい。しかしながら、開く角度が少なすぎる場合、傍観者が絵柄部の表示を視認し難くなってしまう。また、開く角度が多すぎる場合、開いた状態において内部空間側に位置する部分が多くなってしまう。即ち、演出姿勢時に外部から視認できない部分が多くなりすぎてしまい、無駄である。したがって、特に限定されるものではないが、９０度以上１９０度以下に開く構成が望ましい。
【００４２】
以下で第２実施形態、第３実施形態及び参考例について、それぞれ図面を参照しつつ詳細に説明する。なお、上記した第１の実施形態と同様の部分については、同じ番号を付して説明を省略する。
【００４３】
本発明の参考例の遊技媒体収容箱２９は、箱部本体３０と演出部材３２（演出手段）とを備えている。
【００４４】
箱部本体３０は、図４で示されるように、短手方向（箱部本体３０の短手方向）で対向する２つの側壁部５ｂ，５ｄの内の１つの側壁部５ｂに内部空間３１が形成されている。より具体的には、図６，７で示されるように、この側壁部５ｂの内側部分に空間が形成されて内部空間３１となっている。
【００４５】
内部空間３１は、上方が開放された略直方体状の空間である。即ち、側壁部５ｂの天面に形成された開口部３１ａで内外が連続している。
【００４６】
ここで、内部空間３１には、図６で示されるように、演出部材３２（演出手段）が取り付けられている。
【００４７】
演出部材３２は、図５で示されるように、支持部３５と、演出表示部３６を備えている。
【００４８】
支持部３５は、可撓性を有する部材で形成された外形が略直方体状の部材である。この支持部３５は、底部３９と、底部３９の周端から立設され環状に連続する４つの側壁部４０ａ，４０ｂ，４０ｃ，４０ｄから形成されている。即ち、支持部３５は上方が開放された箱体となっている。このことから、図５，６で示されるように、支持部３５の４つの側壁部４０の内側に支持部内側空間３７が形成されている。このとき、支持部内側空間３７は、支持部３５の外形と略相似形の空間となっており、略直方体状であって上方部分で外部と連続している。換言すると、支持部内側空間３７は、支持部３５の天面に形成された開口３７ａを介して外部と連続している。なお、この開口３７ａは、その形状が略長方形状となっている。
【００４９】
そして、支持部３５の４つの側壁部４０ａ，４０ｂ，４０ｃ，４０ｄの内、支持部３５の短手方向で対向する２つの側壁部４０ｂ，４０ｄには、掛止凹部４３が設けられている。
【００５０】
掛止凹部４３は、各側壁部４０ｂ，４０ｄの外側面の４隅に設けられている。即ち、掛止凹部４３は、各側壁部４０ｂ，４０ｄの長手方向の両端部にそれぞれ２箇所ずつ設けられており、より具体的には、長手方向の各端部の上端近傍と下端近傍にそれぞれ設けられている。
【００５１】
掛止凹部４３は、複数の凹部４３ａ，４３ｂ，４３ｃが上下方向に列状に配されて形成されている。この凹部４３ａ，４３ｂ，４３ｃはいずれも略半球状であり、支持部３５の内側へ向かって窪んでいる。
【００５２】
演出表示部３６は、長方形平板状の板部３６ａと、絵柄部３６ｂによって形成されている。
【００５３】
板部３６ａの短手方向で対向する２つの長辺側面４４ｂ，４４ｄには、それぞれ４隅に板部側凹部４６が設けられている。即ち、２つの長辺側面４４ｂ，４４ｄは、いずれもその長手方向の両端部において上端近傍と下端近傍に板部側凹部４６が設けられている。このことから、２つの長辺側面４４ｂ，４４ｄにそれぞれ４つずつ形成された板部側凹部４６は、表面（短手方向の外側面）と裏面（短手方向の内側面）で同一の位置にあり、板部３６ａの本体部分を介して対向する位置にある。また板部側凹部４６は、板部３６ａの外側から内側へ向かって窪んだ部分であり、略半球状となっている。
【００５４】
絵柄部３６ｂは、板部３６ａの２つの長辺側面４４ｂ，４４ｄの内、片方の長辺側面４４ｂに設けられている。具体的には、図４で示されるように、遊技媒体収容箱２９の外側に位置する長辺側面４４ｂに設けられている。
【００５５】
絵柄部３６ｂは、板部３６ａにシール等の部材を張り付ける、板部３６ａに図案を直接プリントする、板部３６ａに図案を直接描き込む等の適宜の表示手段によって形成される部分である。そして、絵柄部３６ｂの表示手段は、「出玉爆発」、「大当たり継続中」といった遊技機で大当たりが発生していることを強く示唆する文言や、そのような文言に装飾を施した絵柄、人目を引くような模様や絵等のような、多量に出玉が獲得されていることを視覚に訴えるものを表示している。
【００５６】
次に、この参考例の遊技媒体収容箱２９の組み立て構成について説明する。
【００５７】
遊技媒体収容箱２９は、図４，６で示されるように、側壁部５ｂの内部空間３１に支持部３５が挿入されており、支持部３５の支持部内側空間３７に演出表示部３６が挿入されている。
まず、内部空間３１と支持部内側空間３７の内部構造について詳細に説明する。
【００５８】
内部空間３１を形成する側壁部５ｂの内側面には、図６で示されるように、外側から内側へ突出する掛止突起４９が設けられている。
【００５９】
掛止突起４９は、具体的には、内部空間３１の内側へ向かって突出する複数の突起４９ａ，４９ｂ，４９ｃが列状に配されて成る。即ち、掛止突起４９は、３つの突起４９ａ，４９ｂ，４９ｃが上下方向において列状に配されることによって形成されている。なお、各突起４９ａ，４９ｂ，４９ｃは、略半球状となっている。
【００６０】
そして、掛止突起４９は、側壁部５ｂの内周面５１の内、短手方向（図６の左右方向）で対向する２つの面５１ｂ，５１ｄにそれぞれ４箇所ずつ、合計８箇所に設けられている（一部図示を省略する）。より具体的には、掛止突起４９は、それぞれの面５１ｂ，５１ｄにおいて、長手方向（図６の奥行き方向）両端部にそれぞれ２箇所ずつ、上端近傍と下端近傍に設けられている。
【００６１】
そしてまた、内部空間３１の短手方向（図６の左右方向）で外側に位置する内周面５１ｂの４箇所に設けられた掛止突起４９と、内部空間３１の短手方向（図６の左右方向）で内側に位置する内周面５１ｄの４箇所に設けられた掛止突起４９とは、内部空間３１の短手方向（図６の左右方向）で対向している。
【００６２】
次に、支持部内側空間３７の内部構造について説明する。
【００６３】
支持部内側空間３７には、図６，７で示されるように、掛止突起部５３（掛止部）が形成されている。より具体的には、支持部内側空間３７を形成する内周面５４の内、支持部内側空間３７の短手方向（図６，７における左右方向）で対向する２つの面５４ｂ，５４ｄにそれぞれ４つずつ掛止突起部５３が設けられている（一部図示を省略する）。このとき、掛止突起部５３は、これらの面５４ｂ，５４ｄそれぞれの４隅に位置している。つまり、これらの面５４ｂ，５４ｄの長手方向（支持部内側空間３７の長手方向）の両端部であって、上端近傍と下端近傍にそれぞれ位置している。したがって、２つの面５４ｂ，５４ｄの内、片側の面５４ｂに形成された４つの掛止突起部５３は、他方の面５４ｄに形成された４つの掛止突起部５３とそれぞれ対向する位置にある。また、この掛止突起部５３は、略半球状の突起であり、いずれも支持部内側空間３７の内側へ向かって突出している。
【００６４】
次に、支持部３５が内部空間３１に挿入された状態における、支持部３５と内部空間３１の位置関係について説明する。
【００６５】
支持部３５が内部空間３１に挿入された状態では、図７で示されるように、内部空間３１の対向する２つの内周面５１ｂ，５１ｄにそれぞれ４箇所ずつ形成された掛止突起４９（一部図示せず）と、支持部３５の短手方向（図６の左右方向）両端部分に４箇所ずつ形成された掛止凹部４３（一部図示せず）とを係合させることができる。
即ち、内部空間３１の対向する２つの内周面５１ｂ，５１ｄの間に支持部３５を挿入することにより、２つの内周面５１ｂ，５１ｄにそれぞれ形成された掛止突起４９，４９の間に支持部３５が位置する。このことにより、対向する掛止突起４９，４９で支持部３５を挟み込むことができる。そして、内部空間３１及び支持部３５の短手方向（図６の左右方向）両端部分でそれぞれ、掛止突起４９，４９が支持部３５の掛止凹部４３，４３に挿入される。
【００６６】
ここで、支持部３５は、内部空間３１に挿入された状態で、箱部本体３０に対して相対的に上下方向に移動させることができる。そして、支持部３５は、内部空間３１から上部が突出した支持部突出姿勢と、内部空間３１に大部分又は全部分が収納された支持部収納姿勢とを切り替えることができる。
【００６７】
具体的に説明すると、支持部突出姿勢時においては、図６で示されるように、支持部３５に設けられた掛止凹部４３の内、下端側に形成された掛止凹部４３のみが内部空間３１の上部側に形成された掛止突起４９と係合する。
【００６８】
より具体的には、支持部３５の外側に位置する側壁部４０ｂの４隅に形成された掛止凹部４３の内、下方の２箇所に位置する掛止凹部４３（図６における奥側に位置する掛止凹部については図示せず）と、内部空間３１の短手方向（図６の左右方向）で外側に位置する内周面５１ｂの４隅に形成された掛止突起４９の内、上方の２箇所に位置する掛止突起４９（図６における奥側に位置する掛止突起については図示せず）とが係合する。
さらに、支持部３５の内側に位置する側壁部４０ｄの４隅に形成された掛止凹部４３の内、下方の２箇所に位置する掛止凹部４３（図６における奥側に位置する掛止凹部については図示せず）と、内部空間３１の短手方向（図６の左右方向）で内側に位置する内周面５１ｄの４隅に形成された掛止突起４９の内、上方の２箇所に位置する掛止突起４９（図６における奥側に位置する掛止突起については図示せず）とが係合する。
【００６９】
これに対して、支持部収納姿勢時においては、図７で示されるように、支持部３５の短手方向の両端に位置する側壁部４０ｂ，４０ｄにそれぞれ４箇所ずつ設けられた掛止凹部４３が、全て内部空間３１に形成された掛止突起４９と係合する。
【００７０】
より具体的には、支持部３５の外側に位置する側壁部４０ｂの４箇所に形成された掛止凹部４３（図７における奥側に位置する２箇所の掛止凹部については図示せず）と、内部空間３１の短手方向（図７の左右方向）で外側に位置する内周面５１ｂの４箇所に形成された掛止突起４９（図７における奥側に位置する２箇所の掛止突起については図示せず）とが係合する。
さらに、支持部３５の内側に位置する側壁部４０ｄの４箇所に形成された掛止凹部４３（図７における奥側に位置する２箇所の掛止凹部については図示せず）と、内部空間３１の短手方向（図７の左右方向）で内側に位置する内周面５１ｄの４箇所に形成された掛止突起４９（図７における奥側に位置する２箇所の掛止突起については図示せず）とが係合する。
【００７１】
これらのことから、支持部３５は、内部空間３１から上部が突出した支持部突出姿勢と、内部空間３１に大部分又は全部分が収納された支持部収納姿勢とで、それぞれ姿勢を維持することができる。
即ち、支持部突出姿勢においては、支持部３５の下端近傍に位置する掛止凹部４３と、内部空間３１の上端近傍に位置する掛止突起４９が係合することにより、支持部３５の箱部本体３０に対する位置が固定される。
また、支持部収納姿勢においては、支持部３５の短手方向（図７の左右方向）の両端に位置する２つの外側面の４箇所にそれぞれ形成された掛止凹部４３と、内部空間３１の短手方向（図７の左右方向）で対向する内周面５１ｂ，５１ｄにそれぞれ４箇所ずつ形成された掛止突起４９とが係合することにより、支持部３５の箱部本体３０に対する位置が固定される。
【００７２】
さらに、演出表示部３６が支持部３５の支持部内側空間３７に挿入された状態における、演出表示部３６と支持部内側空間３７の位置関係について説明する。
【００７３】
具体的に説明すると、演出表示部３６が支持部内側空間３７に挿入された状態においては、支持部内側空間３７の短手方向（図６，７の左右方向）で対向する２つの面５４ｂ，５４ｄにそれぞれ４つずつ形成された掛止突起部５３（一部図示せず）と、演出表示部３６の本体部分である板部３６ａの２つの長辺側面４４ｂ，４４ｄに４つずつ形成された板部側凹部４６（一部図示せず）とを係合させることができる。
即ち、支持部内側空間３７の短手方向で対向する２つの面５４ｂ，５４ｄの間に演出表示部３６を挿入することにより、２つの面５４ｂ，５４ｄにそれぞれ形成された掛止突起部５３，５３の間に演出表示部３６が位置する。このことにより、対向する掛止突起部５３，５３で演出表示部３６を挟み込むことができる。そして、支持部内側空間３７及び演出表示部３６の短手方向（図６，７の左右方向）両端部分でそれぞれ、掛止突起部５３，５３が演出表示部３６の板部側凹部４６，４６に挿入される。
【００７４】
ここで演出表示部３６もまた、支持部３５の支持部内側空間３７に挿入された状態で、支持部３５に対して相対的に上下方向に移動可能となっている。即ち、支持部３５から上方に突出した姿勢（図６参照）と、支持部３５の内部に大部分又は全部分が収納された姿勢（図７参照）とを切り替えることができる。そして、それぞれの姿勢（図６の姿勢と図７の姿勢）で位置を固定することができる。
【００７５】
具体的に説明すると、演出表示部３６が支持部３５から上方に突出した姿勢（図６参照）においては、演出表示部３６の板部３６ａに設けられた板部側凹部４６の内、下端側に形成された板部側凹部４６のみが支持部内側空間３７の上端側に形成された掛止突起部５３と係合する。
【００７６】
より具体的には、演出表示部３６の板部３６ａの長辺側面４４ｂ，４４ｄであって、外側に位置する長辺側面４４ｂに形成された４つの板部側凹部４６の内、下方に位置する２つの板部側凹部４６（図６における奥側に位置する板部側凹部については図示せず）と、支持部内側空間３７の短手方向（図６の左右方向）で外側に位置する内周面５４ｂに形成された４つの掛止突起部５３の内、上方に位置する２つの掛止突起部５３（図６における奥側に位置する掛止突起部については図示せず）とが係合する。
さらに、内側に位置する長辺側面４４ｄに形成された４つの板部側凹部４６の内、下方に位置する２つの板部側凹部４６（図６における奥側に位置する板部側凹部については図示せず）と、支持部内側空間３７の短手方向（図６の左右方向）で内側に位置する内周面５４ｄに形成された４つの掛止突起部５３の内、上方に位置する２つの掛止突起部５３（図６における奥側に位置する掛止突起部については図示せず）とが係合する。
【００７７】
これに対して、演出表示部３６の大部分又は全部分が支持部内側空間３７に収納された姿勢（図７参照）においては、演出表示部３６の板部３６ａの２つの長辺側面４４ｂ，４４ｄにそれぞれ４つずつ設けられた板部側凹部４６が、いずれも支持部内側空間３７に形成された掛止突起部５３と係合する。
【００７８】
より具体的には、板部３６ａの外側に位置する長辺側面４４ｂに形成された４つの板部側凹部４６（図７における奥側に位置する２つの板部側凹部については図示せず）と、支持部内側空間３７の短手方向（図７の左右方向）で外側に位置する内周面５４ｂに形成された４つの掛止突起部５３（図６における奥側に位置する２つの掛止突起部については図示せず）とが係合する。
さらに、板部３６ａの内側に位置する長辺側面４４ｄに形成された４つの板部側凹部４６（図７における奥側に位置する２つの板部側凹部については図示せず）と、支持部内側空間３７の短手方向（図７の左右方向）で内側に位置する内周面５４ｄに形成された４つの掛止突起部５３（図６における奥側に位置する２つの掛止突起部については図示せず）とが係合する。
【００７９】
これらのことから、演出表示部３６は、支持部３５から上方に突出した姿勢（図６参照）と、支持部３５の内部に大部分又は全部分が収納された姿勢（図７参照）とで、それぞれの姿勢を維持できる。
即ち、演出表示部３６が支持部３５から上方に突出した姿勢（図６参照）においては、演出表示部３６の下端近傍に位置する板部側凹部４６と、支持部内側空間３７の上端近傍に位置する掛止突起部５３が係合することにより、演出表示部３６の支持部３５に対する位置が固定される。
また、演出表示部３６が支持部３５の内部に大部分又は全部分が収納された姿勢（図７参照）においては、演出表示部３６の２つの長辺側面４４ｂ，４４ｄにそれぞれ４つずつ形成された板部側凹部４６と、支持部内側空間３７の短手方向（図７の左右方向）で対向する内周面５４ｂ，５４ｄにそれぞれ４つずつ形成された掛止突起部５３とが係合することにより、演出表示部３６の支持部３５に対する位置が固定される。
【００８０】
即ち、支持部内側空間３７の掛止突起部５３が演出表示部３６の板部側凹部４６と係合する部分を可変させる（掛止突起部５３が演出表示部３６を掛止する部分を可変させる）ことにより、演出表示部３６は各姿勢を維持可能となっている。即ち、支持部３５から上方に突出した姿勢と、支持部３５の内部に大部分又は全部分が収納された姿勢とを切り替え、切り替えた姿勢を維持できる。
【００８１】
続いて、参考例の遊技媒体収容箱２９が演出姿勢から収納姿勢へ切り替わるときの動作について、図６，７を参照しつつ詳細に説明する。
【００８２】
遊技媒体収容箱２９の演出姿勢では、図４，６に示されるように、演出表示部３６が支持部３５の支持部内側空間３７から上方に突出した状態で掛止され、支持部３５が箱部本体３０から上方に突出した状態で掛止されている。
【００８３】
このような演出姿勢において、演出表示部３６を支持部３５に対して相対的に下方へ移動させ、演出表示部３６を支持部内側空間３７に収納する。さらに支持部３５を箱部本体３０に対して相対的に下方へ移動させ、演出表示部３６及び支持部３５を箱部本体３０の側壁部５ｂの内部空間３１に収納する。このことにより、図７で示されるように、遊技媒体収容箱２９が収納姿勢となる。
【００８４】
遊技媒体収容箱２９の収納姿勢では、図７に示されるように、演出表示部３６が支持部３５の支持部内側空間３７に収納され、演出表示部３６を内部に収納した支持部３５が箱部本体３０の内部空間３１に収納されている。
【００８５】
次に、第２実施形態の遊技媒体収容箱６０について説明する。
上記した第１実施形態では、複数の骨格部１３に跨って演出表示部１４を取り付けた扇状の演出部材３が、展開した状態と折り畳まれた状態と切り替えることによって、演出姿勢と収納姿勢を切り替える例について説明した。即ち、各骨格部１３が回動軸１５を中心に回動することにより、演出姿勢と収納姿勢を切り替える例について説明した。
しかしながら、本発明の遊技媒体収容箱で採用する演出部材（演出手段）はこれに限るものではない。例えば、第２実施形態で示される遊技媒体収容箱６０の演出部材６２のように、帯状の演出表示部６３が折り目を付けて折りたたまれている構成であっても構わない。即ち、演出表示部６３の長手方向両端部をそれぞれ略直方体状の棒体６４，６４に取付け、２つの棒体６４，６４を重ねて置いた状態と、並べて置いた状態とを切り替えることにより、演出姿勢（図８（ａ）参照）と、収納姿勢（図８（ｂ）参照）とを切り替える構成であってもよい。即ち、骨格部及び支持軸は必ずしも設けなくてよい。
【００８６】
次に、第３実施形態の遊技媒体収容箱７０について説明する。
上記した第１実施形態では、収納姿勢時には扇状の演出部材３が畳まれた状態となり、演出姿勢時には扇状の演出部材３が展開する例を示したが、本発明の遊技媒体収容箱で採用する演出部材（演出手段）はこれに限るものではない。例えば、図９で示される、第３実施形態の遊技媒体収容箱７０のように、演出部材７２が姿勢を変更することにより、収納姿勢と演出姿勢を切り替える構成であってもよい。
具体的に説明すると、第３実施形態では、扇状の演出部材７２が開いた状態のまま回動軸７３を中心に回転する。このことにより、演出姿勢においては、図９（ａ）で示されるように、演出表示部７５が内部空間７６の上部開口７６ａより上側に位置する。また、収納姿勢においては、図９（ｂ）で示されるように、演出表示部７５が内部空間７６の上部開口７６ａより下側に位置する。このように、演出部材７２は、収納姿勢において展開した状態であっても構わない。即ち、演出部材７２は、収納姿勢において必ずしも畳まれた状態とする必要はない。しかしながら、収納姿勢において畳まれた状態であると、演出部材を収納する空間を小さくできるため、畳まれた状態で収納されることが望ましい。
【００８７】
次に、上記とは異なる参考例について説明する。
上記した参考例では、演出部材３２の演出表示部３６に絵柄部３６ｂを形成する例を示したが、遊技媒体収容箱で採用する演出部材（演出手段）はこれに限るものではない。例えば、図１０で示される演出部材８２のように、演出表示部８３と支持部８４とに跨って絵柄部８５が設けられてもよい。また、支持部にのみ絵柄部を設けてもよい。即ち、絵柄部は、演出部材の適宜の部分に形成してよい。
【００８８】
次に、図４、図１０とは異なる参考例について説明する。
【００８９】
この参考例では、図１１で示されるように、演出部材９２が長方形板状の演出表示部９３を備えており、演出表示部９３の２つの長辺側面９３ｂ，９３ｄの長手方向両端部分にそれぞれ凹部９５が設けられている。この凹部９５は、演出表示部９３の外側から内側へ向かって窪んだ部分であり、演出表示部９３の上端近傍から下端近傍まで延びている。
また、支持部９４は、断面略「コ」字状で延びる部材となっている。そして、支持部９４の内周面の内で対向する位置にある面（演出表示部９３の長辺側面９３ｂ，９３ｄと接している面）には、それぞれ外側から内側へ向かって突出する突起（図示せず）がそれぞれ設けられている。なお、この突起は支持部９４上端近傍から下端近傍まで延びている。
そして、演出表示部９３に形成された凹部９５に、支持部９４に形成された突起（図示せず）が係合することにより、演出表示部９３が支持部９４に対して相対的に上下方向へ移動可能となっている。
【００９０】
即ち、遊技媒体収容箱で採用する演出部材（演出手段）は、２つの支持部９４で演出表示部９３の長手方向両端部分をそれぞれ把持する構成であってもよい。つまり、支持部は内部空間を必ずしも有するものでなくてよい。また、支持部は複数設けてもよい
【００９１】
また、支持部に形成する掛止部（上記した参考例の掛止突起４９やこの参考例の支持部９４に設けた図示しない突起）は、上端近傍や下端近傍といった特定の部分のみに設ける構成に限るものでなく、図１１で示されるように、上端近傍から下端近傍まで延びていてもよい。例えば、上記した参考例では、支持部３５の４隅に掛止凹部４３を設けたが（図５参照）、掛止凹部４３は支持部の上端近傍から下端近傍に亘って設けてもよい。同様に、演出表示部３６に形成される板部側凹部４６、内部空間３１に形成される掛止突起４９、支持部内側空間３７に形成される掛止突起部５３もまた、上端近傍から下端近傍に亘って設けてもよい。
【００９２】
上記した参考例では、図６で示されるように、支持部３５の内部に形成した支持部内側空間３７に突起（掛止突起部５３）を形成し、演出表示部３６に凹部（板部側凹部４６）を形成する例を示したが、遊技媒体収容箱で採用する演出部材（演出手段）はこれに限るものではなく、支持部内側空間３７に凹部を形成し、演出表示部３６に突起を形成してもよい。
同様に、箱部本体３０の内部空間３１に凹部を設けてもよく、支持部３５に突起を形成してもよい。
即ち、支持部が箱部本体に対して相対的に上下動可能であって、箱部本体と支持部とが適宜の位置関係で掛止できればよい。また、演出表示部が支持部に対して相対的に上下動可能であって、演出表示部と支持部とが適宜の位置関係で掛止できればよい。
【００９３】
また、演出表示部を箱部本体の内部空間に直接挿入し、上下動させる構成であってもよい。即ち、支持部を介さない構成であってもよい。
【００９４】
上記した各実施形態では、４つの側壁部の内の１つの側壁部に演出部材を設けた例を示したが、２つ以上の側壁部に内部空間及び演出部材を設ける構成であってもよい。
【００９５】
上記した各実施形態では、箱部本体の側壁部の壁を形成している部分に内部空間を形成した例を示したが、本発明の遊技媒体収容箱に形成される内部空間はこれに限るものではない。例えば、張り出し部を厚くして（上下方向の長さを長くして）、厚くした張り出し部に内部空間を形成してもよい。内部空間は側壁部のいずれの部分に形成してもよい。
【００９６】
また、上記した各演出部材の一部に、つまみ部を設けてもよい。即ち、演出姿勢と収納姿勢とを切り替えるとき、使用者が演出部材を持つための部分を形成してもよい。
【符号の説明】
【００９７】
１，２９，６０，７０  遊技媒体収容箱
２，３０  箱部本体
３，３２，６２，７２，８２，９２  演出部材（演出手段）
４  底部
５  側壁部
９，３１，７６  内部空間
１３  骨格部
１４，３６，６３，７５，８３，９３  演出表示部
３５，８４，９４  支持部
５３  掛止突起部（掛止部）
【図１】
0005877672.tif 000002
【図２】
0005877672.tif 000003
【図３】
0005877672.tif 000004
【図４】
0005877672.tif 000005
【図５】
0005877672.tif 000006
【図６】
0005877672.tif 000007
【図７】
0005877672.tif 000008
【図８】
0005877672.tif 000009
【図９】
0005877672.tif 000010
【図１０】
0005877672.tif 000011
【図１１】
0005877672.tif 000012